(57)【要約】【課題】足踏み操作によって便座を開けることができると共に、開けた便座を閉める場合に、開閉蓋を残すことなく一緒に閉めることが可能となり、しかも、開閉蓋のみ独立して開閉が行えるようにする。【解決手段】便座５と開閉蓋７を備えた便器本体３の前方に設けられた足踏み部材１７と、常時は連結解除状態にあって、前記足踏み部材１７の足踏み操作により便座５を所定角度上昇させた時に連結状態となり、便座５と開閉蓋７とを一体とする連結機構２７とを設け、連結機構２７の連結状態時、足踏み部材１７による便座５と開閉蓋７とを一緒に回動させる操作を可能とし、連結機構２７の連結解除状態時、開閉蓋５のみ独立した回動操作を可能とする。【選択図】　　　図１
2004135919.tif 000002
【特許請求の範囲】
【請求項１】
便器本体に設けられ上下に回動可能な便座とその便座上方の開閉蓋と、前記便器本体の前方に設けられ足踏み操作により前記開閉蓋と一緒に前記便座を上昇させる足踏み部材と、常時は連結解除状態にあると共に前記便座と開閉蓋が一緒に所定角度回動した回動時に連結状態となり前記便座と開閉蓋が一体に連結される連結機構とを有し、連結機構は、前記開閉蓋を単独で上方へ回動した時、連結解除状態となり開閉蓋のみ独立して上下に回動可能となることを特徴とする洋式便器。
【請求項２】
連結機構は、自重により常に垂直姿勢となるよう回動自在に開閉蓋に支持された係合フックと、その係合フックと係脱自在に係合し合う係合部とから成り、係合部は、開閉蓋のみ上方へ回動した時、自重により垂直姿勢になろうとする係合フックのフック部から外れた位置に配置されると共に、便座と開閉蓋が一緒に上方へ回動した時、自重により垂直姿勢になろうとする係合フックのフック部と係合し合う構造となっていることを特徴とする請求項１記載の洋式便器。
【発明の詳細な説明】
【０００１】
【発明の属する技術分野】
この発明は洋式便器に関する。
【０００２】
【従来の技術】
一般に洋式便器の便座は、男性が立って利用できるよう回動自在となっていて、開閉蓋と一緒に便座を上方へ回動させることで使用できるようになっている。
【０００３】
便座を上方へ回動させる際、例えば、手が不自由な人、あるいは、高齢者にあっては大変面倒な作業となるだけでなく、場合によっては介護者を必要とする。
【０００４】
このために、例えば、動力によって開閉蓋、あるいは便座を開閉する手段が公知となっている（特許文献１参照）。
【０００５】
あるいは、ペタルを足で操作することで中蓋が開く手段が公知となっている（特許文献２参照）。
【０００６】
【特許文献１】
特開平１１−４９３０６号公報
【０００７】
【特許文献２】
特開平１１−１０４０３９号公報
【０００８】
【特許文献３】
登録実用新案第３００５５９３号公報
【０００９】
【発明が解決しようとする課題】
手をつかわずに開閉蓋、あるいは、便座を開閉する手段にあっては、特許文献１，２，３によって既に公知となっているが、特許文献１にあっては、動力式となっているため、装置全体の複雑化を招くと共にメンテナンスやコストの面で望ましくない。
【００１０】
特許文献２にあっては、第１の足踏み式のペタルによって便座を開けるものであるが、開けた便蓋を閉める時は、別途設けられた第２の足踏み式のペタルを使用する必要があり、操作が面倒となるし構造も複雑となる。この場合、第２の足踏み式のペダルをなくすと、手で便蓋を閉める別動作が必要となる。
【００１１】
特許文献３にあっては、足踏み式のペタルによって中蓋を開くようになっているが、上蓋（便蓋）については何等触れられていないが、中蓋が開いた後、中蓋とともに上蓋（便蓋）を閉める時は、上蓋を閉めるための別の動作が必要となる。
【００１２】
そこで、この発明にあっては、手が不自由な場合でも足踏み操作によって便座とともに開閉蓋を一緒に開又は閉方向へ回動させることができるようにすると共に、しかも、開閉蓋のみ独立して開閉操作が支障なく行なえるようにした構造簡単な洋式便器を提供することを目的とする。
【００１３】
【課題を解決するための手段】
前記目的を達成するために、この発明の請求項１にあっては、便器本体に設けられ上下に回動可能な便座とその便座上方の開閉蓋と、前記便器本体の前方に設けられ足踏み操作により前記開閉蓋と一緒に前記便座を上昇させる足踏み部材と、常時は連結解除状態にあると共に前記便座と開閉蓋が一緒に所定角度回動した回動時に連結状態となり前記便座と開閉蓋が一体に連結される連結機構とを有し、連結機構は、前記開閉蓋を単独で上方へ回動した時、連結解除状態となり開閉蓋のみ独立して上下に回動可能となることを特徴とする。
【００１４】
これにより、足踏み部材を足踏み操作することで、便座は開閉蓋と一緒に上方へ回動し起立した開状態となる。この時、便座と開閉蓋は連結状態となる連結機構によって一体となるため、便座が起立した開状態から閉まる時、開閉蓋も一緒に閉まるようになり、開閉蓋のみ開いたまま残ることはない。この場合、便座を閉める操作は、使用した後に足踏み部材から足を離すと起立状態にある便座及び開閉蓋が自重で閉まるようにすることが望ましい。
【００１５】
一方、便座及び開閉扉が閉まった閉塞完了時、連結機構は連結解除状態におかれるから、例えば、手によって開閉蓋のみ独立した開閉操作が行なえるようになる。
【００１６】
また、この発明の請求項２にあっては、連結機構を、自重により常に垂直姿勢となるよう回動自在に開閉蓋に支持された係合フックと、その係合フックと係脱自在に係合し合う係合部とで構成し、係合部は、開閉蓋のみ上方へ回動した時、自重により垂直姿勢になろうとする係合フックのフック部から外れた位置に配置されると共に、便座と開閉蓋が一緒に上方へ回動した時、自重により垂直姿勢になろうとする係合フックのフック部と係合し合う構造となっていることを特徴とする。
【００１７】
これにより、連結機構は、係合フックと係合部の単純な構造で済むと共に、しかも、係合フックは、係合部に対して回動時の自重で係脱自在に係合し合う手段となるため、余分な構成機能は全く必要とせず全体構造を簡潔にすることが可能となる。コストも小さく抑えられる。
【００１８】
【発明の実施の形態】
以下、図１乃至図５の図面を参照しながらこの発明の実施の形態について具体的に説明する。
【００１９】
図１はこの発明にかかる洋式便器１の概要側面図を示している。洋式便器１は、便器本体３に便座５と開閉蓋７とを備えた構造となっていて、使用後はレバー９を操作することで水洗タンク１１内の水が便器本体３内へ流れ込むようになっている。
【００２０】
開閉蓋５は、便座７の上方に位置し、ヒンジ軸１３を支点として上下に回動可能となっており、独立して開閉蓋５のみ開け閉めを行なう場合には手によって開閉が行なわれるようになっている。
【００２１】
便座７は、操作スイッチ１５によって温度管理されるヒータ（図示していない）を有し、足踏み部材１７の足踏み操作Ｆによって上方へ回動し、足踏み操作解除によって下方へ回動可能となっている。便座７の回動支点は前記開閉蓋５のヒンジ軸１３と同一となっていて、常時は、便器本体３の上に着座する着座状態にある。
【００２２】
便座７は、開閉蓋５と共に、上方へ回動し起立した開状態の時に、図１鎖線で示すように垂直軸線Ｘを基準として、いわゆる死点越えしない手前でストッパ（図示していない）により回動完了となるよう設定されている。この時の便座は自重で元の着座状態に戻ろうとする作用が働くようになるが、足踏み部材１７の踏み込み操作Ｆを継続することで保持されるようになっている。
【００２３】
足踏み部材１７は、便器本体３の前方に位置し、左右に長い帯板状に形成され両端は、便器本体３の左右に配置されたリンクアーム１９に支持されている。
【００２４】
左右のリンクアーム１９は、そのほぼ中間部位をリンクアーム支持部材２１によって支持され、その支持点Ｐを支点としてシーソのように上下動可能となっている。リンクアーム１９の一方は前記した如く足踏み部材１７が、他方は上下に長い作動ロッド２３の下端部がそれぞれ支持され、足踏み部材１７を足で踏み込み操作Ｆすることで、リンクアーム２３を介して前記作動ロッド２３の上昇が可能となる。
【００２５】
作動ロッド２３は、上端部が前記便座７の側部に取付軸２４によって回動自在に取付けられ、ターンバックル等の伸縮調整手段２５によって上下調整が可能となっている。
【００２６】
したがって、伸縮調整手段２５により作動ロッド２３の伸縮を図ることで、例えば、高さの異なる便器本体３の便座７に対して正しい位置に対応することが可能となり、作動ロッド２３が上昇する上向きの力は、ヒンジ軸１３を支点として便座７を上方へ回動させる押し上げ作用として確実に働くようになっている。
【００２７】
便座７は、図２に示すように上方へ所定角度回動した時に連結機構２７が働き開閉蓋５と一緒に回動するようになっている。
【００２８】
連結機構２７は、係合フック２９と係合部３１とから成り、係合フック２９は開閉蓋５の側部に、係合部３１は便座７の側部にそれぞれ独立して設けられている。
【００２９】
係合フック２９は、フック部２９を有し開閉蓋５の上下動に関係なく、常に自重によって垂直姿勢となるよう取付けピン３３によって回動自在に支持され、反時計方向の動きを規制するストッパー３５によって常時は垂直位置に位置決めされている。
【００３０】
この時、フック部２９のフック開口３７は前記係合部３１側に向かう形状となるよう設定されている。
【００３１】
なお、ストッパー３５は、この実施形態では係合フック２９を取付ける取付部材３９の開口端縁を利用する手段となっているが、ピン状のものを独立して設けるようにしてもよい。
【００３２】
係合部３１は、独立したピン状に形成され、前記係合フック２９のフック部２９ａと係脱自在に係合可能となっている。
【００３３】
係合部３１の取付位置は、図４に示すように開閉蓋５のみ独立して上方へ回動した時、フック部２９ａのフック開口３７の端線３７ａが通る回動軌跡Ｙの外側に位置すると共に、便座７と開閉蓋５が同時に上方へ所定角度回動した時、図３に示すように自重により係合フック２９が垂直姿勢になるとする下向きの回動時にフック部２９ａと係合し合う位置に設定されている。
【００３４】
したがって、開閉蓋５の着座時、即ち、便座７の閉塞時は、図２に示すようにフック部２９ａと係合部３１とは係合解除状態が確保されるようになっている。
【００３５】
なお、係合部３１は、独立して設けられた構造となっているが、例えば、係合フック２９を下方へ延長し、作動ロッド２３を取付ける取付軸２４を利用する手段とすることも可能である。
【００３６】
このように構成された洋式便器１を使用するには、足踏み部材１７を足で踏み込むと作動ロッド２３はリンクアーム１９を介して上昇する。作動ロッド２３の上向きの力は便座７を上方へ回動させる。この便座７の上方への回動時、開閉蓋５も一緒に押し上げられ回動する。この回動にともない、自重により垂直状態になろうとする係合フック２９のフック部２９ａは、係合部３１と係合し合い連結機構２７は連結状態となる。
【００３７】
上方への回動完了時、起立した開状態となるから足踏み部材１７を踏んだまま使用する。この場合、足踏み部材１７を踏んだ状態で使用するため便器本体３に対して一歩近づいた状態での使用となり、便器本体３の前方を汚すことがなくなる。使用後は、足踏み部材１７から足を離すと、自重により下方へ向け回動する。この時、開閉蓋５は便座７と連結機構２７により一体の関係にあるため、起立した開状態のまま残されることなく一緒に下方へ向け回動するようになる。
【００３８】
下方への回動完了時、即ち、開閉蓋５による便座７の閉塞時、図２に示すように係合フック２９のフック部２９ａは係合部３１から外れた連結解除状態となる。
【００３９】
次に、開閉蓋５のみ開けるには、開閉蓋５を手によって上方へ回動させる。この時、係合フック２９は係合部３９から外れた状態にあるため、開閉蓋５のみ独立した開閉が可能となり、便座７に座っての使用が可能となる。
【００４０】
【発明の効果】
以上、説明したようにこの発明の請求項１によれば、足踏み操作によって開閉蓋と一緒に便座を上方へ回動し開けることができる。また、起立した開状態便座を元に戻す際に、連結機構によって開閉蓋を残すことなく便座と一緒に下方へ向け回動させることができる。しかも、開閉蓋が閉まった閉塞時には連結解除状態となる連結機構によって開閉蓋のみ独立して開閉することができる。
【００４１】
また、この発明の請求項２によれば、連結機構をメンテナンス不用の係合フックと係合部の簡単な構造にできる。しかも、自重で係脱自在に係合し合うため、余分な構成機能は必要とせず、全体構造を簡潔にできると共に、組付性、コストの面でも大変好ましいものとなる。
【図面の簡単な説明】
【図１】この発明にかかる洋式便器の概要側面図。
【図２】便座及び開閉弁が閉まった時の連結機構の拡大説明図。
【図３】便座と開閉蓋が一緒に上方へ回動した時の連結機構の係合フックと係合部の関係を示した説明図。
【図４】開閉蓋のみ上方へ回動した時の連結機構の係合フックと係合部の関係を示した説明図。
【図５】洋式便器の概要正面図。
【符号の説明】
３…便器本体
５…開閉蓋
７…便座
１７…足踏み部材
２７…連結機構
２９…係合フック
２９ａ…フック部
３１…係合部
【図１】
2004135919.tif 000003
【図２】
2004135919.tif 000004
【図３】
2004135919.tif 000005
【図４】
2004135919.tif 000006
【図５】
2004135919.tif 000007